(57)【特許請求の範囲】
【請求項１】
タラップと、タラップの片側又は両側に起立する手摺と、タラップの側部に設けた足場板支持金具と、タラップの側部に当該タラップと直交する方向に配置する足場板と、足場板の片側又は両側に起立する手摺とを備え、屋根面の勾配に合せて角度調整しながら当該屋根面上にタラップを縦方向に配設し、タラップの角度に合せて角度調整しながら足場板支持金具を水平に配置し、足場板支持金具に足場板の端部を結合しながら当該足場板を屋根面上に水平方向に向けて配設し、更にタラップと足場板にそれぞれ手摺を角度調整しながら垂直に起立させた屋根工事用作業足場において、上記足場板支持金具を水平な支持桿と、支持桿の端部に設けた手摺差し込み用のソケットと、支持桿の中間に下方に向けて設けた支持片と、支持片に形成した複数の取付孔とで構成し、支持桿の一端を側桁の側部に枢着させ、タラップの角度に応じて支持片を任意の取付孔を選択的に利用して側桁に結合させていることを特徴とする屋根工事用作業足場。
【請求項２】
タラップと、タラップの片側又は両側に起立する手摺と、タラップの側部に設けた足場板支持金具と、タラップの側部に当該タラップと直交する方向に配置する足場板と、足場板の片側又は両側に起立する手摺とを備え、屋根面の勾配に合せて角度調整しながら当該屋根面上にタラップを縦方向に配設し、タラップの角度に合せて角度調整しながら足場板支持金具を水平に配置し、足場板支持金具に足場板の端部を結合しながら当該足場板を屋根面上に水平方向に向けて配設し、更にタラップと足場板にそれぞれ手摺を角度調整しながら垂直に起立させた屋根工事用作業足場において、上記足場板支持金具が菊座型の板クラッチと、板クラッチの端部に結合した水平な支持桿と、支持桿の端部に設けた手摺差し込み用のソケットとで構成させたことを特徴とする屋根工事用作業足場。
【請求項３】
タラップが一対の側桁と、側桁間に上下方向に沿って隔設された複数のステップとで構成し、ステップの上面を弯曲させると共に当該上面に滑り止めを施したことを特徴とする請求項１又は２の屋根面工事用作業足場。
【請求項４】
側桁の下方に高さ調整自在なジャッキを設け、このジャッキを側桁の側面に結合したナットとナットに上下移動自在に螺合したねじ桿とで構成させていることを特徴とする請求項３の屋根工事用作業足場。
【請求項５】
タラップと、タラップの片側又は両側に起立する手摺と、タラップの側部に設けた足場板支持金具と、タラップの側部に当該タラップと直交する方向に配置する足場板と、足場板の片側又は両側に起立する手摺とを備え、屋根面の勾配に合せて角度調整しながら当該屋根面上にタラップを縦方向に配設し、タラップの角度に合せて角度調整しながら足場板支持金具を水平に配置し、足場板支持金具に足場板の端部を結合しながら当該足場板を屋根面上に水平方向に向けて配設し、更にタラップと足場板にそれぞれ手摺を角度調整しながら垂直に起立させた屋根工事用作業足場において、上記足場板支持金具を側桁に起立させた支持パイプと、支持パイプに枢着した回転自在な支持枠と、支持枠に形成した複数の調整孔と、支持枠に起立する引掛片とで構成し、上記任意の調整孔を介してボルトを上記支持パイプに挿入することにより選択された調整孔に対応して上記支持枠の角度を調整させることを特徴とする屋根工事用足場。
【請求項６】
タラップが一対の側桁と、側桁間に上下方向に沿って隔設された複数のステップとで構成し、 側桁の下方に高さ調整自在なジャッキを設け、このジャッキを側桁受け部材と、側桁受け部材の下部にヒンジ結合したねじ筒と、ねじ筒内に上下移動自在に螺合したねじ桿とで構成させていることを特徴とする請求項５の屋根工事用作業足場。
【請求項７】
タラップと、タラップの片側又は両側に起立する手摺と、タラップの側部に設けた足場板支持金具と、タラップの側部に当該タラップと直交する方向に配置する足場板と、足場板の片側又は両側に起立する手摺とを備え、屋根面の勾配に合せて角度調整しながら当該屋根面上にタラップを縦方向に配設し、タラップの角度に合せて角度調整しながら足場板支持金具を水平に配置し、足場板支持金具に足場板の端部を結合しながら当該足場板を屋根面上に水平方向に向けて配設し、更にタラップと足場板にそれぞれ手摺を角度調整しながら垂直に起立させた屋根工事用作業足場において、上記タラップを一対の側桁と、上記側桁間に隔設した複数のステップで平行四辺形に構成し、上記足場板支持金具を上記ステップに結合した水平な支持桿と、当該支持桿の両端に設けた手摺挿入用のソケットとで構成し、更に下方のステップに扇形の取付片を設け、この取付片に複数のピン孔を形成し、上記任意のピン孔を介してピンを側桁に挿入し、選択されたピン孔に対応して側桁の角度を調整することを特徴とする屋根工事用足場。
【発明の詳細な説明】
【０００１】
【発明の属する技術分野】
本発明は、一般家屋等の建築物における屋根の建造，修理，点検作業に使用する屋根工事用作業足場とその設置方法に関する。
【０００２】
【従来の技術】
一般家屋等の建築物の屋根を建造，修理をする場合、この屋根は任意の角度の勾配を有しているため、作業者が屋根面に沿って縦横に歩行するのが困難で、作業姿勢も不安定となる。従って作業性が悪く、最悪の場合は作業者が転倒して地上に落下する危険もある。この為、作業者が屋根面上で比較的安全に歩行したり、諸作業を行なえる簡易の作業足場として例えば特開平５−３３４８０号公報に示すもの、又は図２３に示す構造のものが開発されている。これらの作業足場に共通するところはいずれも屋根面上に縦方向のパイプと横方向のパイプとを井桁状に組付けたもので、これらのパイプを踏台として使用している。例えば、図２３に示す作業足場としては建築物Ｂの周囲に枠組足場Ｃを起立させ、同時に屋根面Ａ上には多数の縦方向のパイプ支柱ａと横方向のパイプ支柱ｂとを縦横に組付けて屋根工事用の作業足場Ｄを形成させたものである。そして屋根面Ａの建造，修理等の作業を行なう場合は枠組足場Ｃを通って屋根工事用の作業足場Ｄに移動し、この作業足場Ｄを利用して歩行したり、諸作業を行なうものである。
【０００３】
【発明が解決しようとする課題】
上記従来の屋根工事用の作業足場Ｄでは作業者が横方向のパイプ支柱ｂ上を歩行するだけであるから、踏台としては不安定なものであり、歩行中又は作業中に作業者が踏台を踏みはずしたり、すべって転倒する危険がある。又各パイプ支柱ａ，ｂには手摺が設けられていないので余計に作業者が転倒しやすく、地下に落下して人身事故をおこす危険がある。そこで、本発明の目的は、屋根面上の歩行、作業中に作業者が転倒したり、地下に落下するのを防止し、安全な作業が行なえ、人身事故の発生を防止できる屋根工事用作業足場及びその設置方法を提供することである。
【０００４】
【課題を解決するための手段】
上記の目的を達成するため、本発明の一つの手段は、 タラップと、タラップの片側又は両側に起立する手摺と、タラップの側部に設けた足場板支持金具と、タラップの側部に当該タラップと直交する方向に配置する足場板と、足場板の片側又は両側に起立する手摺とを備え、屋根面の勾配に合せて角度調整しながら当該屋根面上にタラップを縦方向に配設し、タラップの角度に合せて角度調整しながら足場板支持金具を水平に配置し、足場板支持金具に足場板の端部を結合しながら当該足場板を屋根面上に水平方向に向けて配設し、更にタラップと足場板にそれぞれ手摺を角度調整しながら垂直に起立させた屋根工事用作業足場において、上記足場板支持金具を水平な支持桿と、支持桿の端部に設けた手摺差し込み用のソッケットと、支持桿の中間に下方に向けて設けた支持片と、支持片に形成した複数の取付孔とで構成し、支持桿の一端を側桁の側部に枢着させ、タラップの角度に応じて支持片を任意の取付孔を選択的に利用して側桁に結合させていることを特徴とする。
【０００５】
同じく他の手段は、 タラップと、タラップの片側又は両側に起立する手摺と、タラップの側部に設けた足場板支持金具と、タラップの側部に当該タラップと直交する方向に配置する足場板と、足場板の片側又は両側に起立する手摺とを備え、屋根面の勾配に合せて角度調整しながら当該屋根面上にタラップを縦方向に配設し、タラップの角度に合せて角度調整しながら足場板支持金具を水平に配置し、足場板支持金具に足場板の端部を結合しながら当該足場板を屋根面上に水平方向に向けて配設し、更にタラップと足場板にそれぞれ手摺を角度調整しながら垂直に起立させた屋根工事用作業足場において、上記足場板支持金具が菊座型の板クラッチと、板クラッチの端部に結合した水平な支持桿と、支持桿の端部に設けた手摺差し込み用のソケットとで構成させたことを特徴とする。
【０００６】
上記各手段においては、 タラップが一対の側桁と、側桁間に上下方向に沿って隔設された複数のステップとで構成し、ステップの上面を弯曲させると共に当該上面に滑り止めを施すことが好ましい。
【０００７】
この場合、 側桁の下方に高さ調整自在なジャッキを設け、このジャッキを側桁の側面に結合したナットとナットに上下移動自在に螺合したねじ桿とで構成させているのが好ましい。
【０００８】
更に、本発明の別の手段は、 タラップと、タラップの片側又は両側に起立する手摺と、タラップの側部に設けた足場板支持金具と、タラップの側部に当該タラップと直交する方向に配置する足場板と、足場板の片側又は両側に起立する手摺とを備え、屋根面の勾配に合せて角度調整しながら当該屋根面上にタラップを縦方向に配設し、タラップの角度に合せて角度調整しながら足場板支持金具を水平に配置し、足場板支持金具に足場板の端部を結合しながら当該足場板を屋根面上に水平方向に向けて配設し、更にタラップと足場板にそれぞれ手摺を角度調整しながら垂直に起立させた屋根工事用作業足場において、上記足場板支持金具を側桁に起立させた支持パイプと、支持パイプに枢着した回転自在な支持枠と、支持枠に形成した複数の調整孔と、支持枠に起立する引掛片とで構成し、上記任意の調整孔を介してボルトを上記支持パイプに挿入することにより選択された調整孔に対応して上記支持枠の角度を調整させることを特徴とする。
【０００９】
この場合、タラップが一対の側桁と、側桁間に上下方向に沿って隔設された複数のステップとで構成し、 側桁の下方に高さ調整自在なジャッキを設け、このジャッキを側桁受け部材と、側桁受け部材の下部にヒンジ結合したねじ筒と、ねじ筒内に上下移動自在に螺合したねじ桿とで構成させているのが好ましい。
【００１０】
同じく、更に別の手段は、 タラップと、タラップの片側又は両側に起立する手摺と、タラップの側部に設けた足場板支持金具と、タラップの側部に当該タラップと直交する方向に配置する足場板と、足場板の片側又は両側に起立する手摺とを備え、屋根面の勾配に合せて角度調整しながら当該屋根面上にタラップを縦方向に配設し、タラップの角度に合せて角度調整しながら足場板支持金具を水平に配置し、足場板支持金具に足場板の端部を結合しながら当該足場板を屋根面上に水平方向に向けて配設し、更にタラップと足場板にそれぞれ手摺を角度調整しながら垂直に起立させた屋根工事用作業足場において、上記タラップを一対の側桁と、上記側桁間に隔設した複数のステップで平行四辺形に構成し、上記足場板支持金具を上記ステップに結合した水平な支持桿と、当該支持桿の両端に設けた手摺挿入用のソケットとで構成し、更に下方のステップに扇形の取付片を設け、この取付片に複数のピン孔を形成し、上記任意のピン孔を介してピンを側桁に挿入し、選択されたピン孔に対応して側桁の角度を調整することを特徴とする。
【００１１】
【発明の実施の形態】
以下、本発明の実施の形態を図にもとづいて説明する。図１乃至図９は本発明の一実施の形態を示し、
図１０乃至図１１、図１２乃至図１４、及び２０は他の実施の形態を示す。
【００１２】
各実施の形態に係る屋根工事用作業足場の基本構造と設置方法は、同じであり、例えば図１乃至図１３に示すように、タラップ１と、タラップ１の片側又は両側に起立する手摺５と、タラップ１の側部に設けた足場板支持金具７と、タラップ１の側部に当該タラップ１と直交する方向に配置する足場板１０と、足場板１０の片側又は両側に起立する手摺１１とを備え、屋根面Ａの勾配に合せて角度調整しながら当該屋根面Ａ上にタラップ１を縦方向に配設し、タラップ１の角度に合せて角度調整しながら足場板支持金具７を水平に配置し、足場板支持金具７に足場板１０の端部を結合しながら当該足場板１０を屋根面Ａ上に水平方向に向けて配設し、更にタラップ１と足場板１０にそれぞれ手摺５を角度調整しながら垂直に起立させるものである。
【００１３】
そして、上記の方法の実施に使用される屋根工事用作業足場は、例えば、図１乃至図３に示すように、屋根面Ａの勾配に合せて当該屋根面Ａ上に縦方向に配設した角度調整自在なタラップ１と、タラップ１の片側又は両側に起立させた角度調整自在な手摺５と、タラップ１の側部に角度調整自在な足場板支持金具７を介して水平方向に結合した足場板１０と、足場板１０の片側又は両側に起立させた手摺１１とからなるものである。以下、更に詳しく説明する。一般家屋等の建築物の周囲と屋根面上に枠組足場Ｃと屋根工事用作業足場Ｅを設置し、屋根面Ａ上の建造，修理を行なう場合には枠組足場Ｃを昇って屋根工事用作業足場Ｅに移動する。作業足場Ｅはタラップ１と、タラップ１上に起立させた手摺５と、タラップ１の側部に足場板支持金具７を介して水平方向に結合した足場板１０と、足場板１０上に起立した手摺５とを備え、作業者はタラップ１を介して屋根面Ａの上下方向ら歩行し、足場板１０を介して屋根面Ａの横方向に歩行する。この際、タラップ１は水平なステップ１３と手摺５を備えているから歩行が安全であり、足場板１０は巾広で水平であると共に手摺１１を備えているからやはり水平方向の歩行が安全であり、作業姿勢も安定し、その結果、作業者が屋根面Ａ上で転倒したり、あるいは屋根面Ａ上から地上に落下するのが防止される。
【００１４】
タラップ１は図３乃至図４に示すように、左右一対の側桁１２と、側桁１２間に上下方向に沿って隔設した複数のステップ１３とで構成している。各側桁１２の上下端にはピン孔を形成した差込片３１が設けられ、この差込片３１を介して他の側桁１２が着脱自在に接続できるようになっている。
【００１５】
ステップ１３は、図７又は図８に示すように、水平部３２と弯曲部３３とからなる本体と、本体の上面に刻設した多数のリブからなる滑り止め１４が形成されている。
【００１６】
図７のステップ１３は本体の下方に複数の取付片３４，３５を設けて例えば側桁１２、１２間の支柱に結合しても良く、図８に示すように本体の下部に補強部３６を設けても良い。
【００１７】
ステップ１３の両端は側桁１２の内側に固定しても良い。
【００１８】
ステップ１３は図８、図９に示すようにタラップ１、いいかえれば側桁１２の角度に応じて角度が変化するが、その上面１３ａのいずれかの位置の一部は常に水平な踏面となっており、作業者の足Ｐの裏側をこの水平な踏面上にのせることができ、作業者は垂直な姿勢でタラップ１を歩行できる。
【００１９】
手摺５は複数の縦支柱５ａと縦支柱５ａ間に架設された横パイプ支柱５ｂとからなり、縦支柱５ａの下端は側桁１２の側面に設けた回転自在なソケット３７に挿入されている。更に縦支柱５ａの下部にはリンク３８の上端がピン又はクランプ３９を介して回転自在に結合され、このリンク３８の他端は側桁１２に設けた複数のピン孔４０のいずれに枢着されている。この為、タラップ１の角度が変化した場合にはリンク３８をいずれかのピン孔４０に結合し、タラップ１の角度に対応して手摺５の角度を調整し、常に手摺５の角度がタラップ１に平行となるようにしている。タラップ１の下方上下にはジャッキ２４が設けられ、このジャッキ２４の高さを調整することによりタラップ１全体の角度を屋根面Ａの勾配に合せて調整できるようにしている。
【００２０】
ジャッキ２４は図５に示すように、側桁１２の側面にピン４１を介して結合したナット２６と、ナット２６に上下移動自在に螺合したねじ桿２７とで構成され、ねじ桿２７の下端にはすべり止め又はクッション部材２７ａ、ピンで止める止め板２７ｂ又は断面コ字状のつかみ金具２７ｃを設け、タラップ１の角度をジャッキ２４で調整すると共にこれらのジャッキ２４を介してタラップ１を屋根面Ａに保持されている。
【００２１】
ねじ桿２７はレバーＬを上部に嵌合し、ハンドルを介してレバーＬを回動することによりねじ桿２７を回転して高さ調整を行なうものである。尚、タラップ１は安全の為、下端を枠組足場Ｃに結合しても良く、屋根の上方に図２１、図２２に示すトップ受具４２を介して固定しても良い。
【００２２】
トップ受具４２は屋根面Ａの棟部に保持され、これは一対の傾斜するソケット部４３，４３と、ソケット部４３の上部に設けたヒンジ４４と、各ソケット部４３間に設けた角度調整リンク４５と、各ソケット部４３の下方に設けたクッション材からなる支持台４６とからなり、屋根面上に配置したタラップ１における各側桁１２の上端をそれぞれソケット部４３に差し込み両者をピン孔４７から挿入したピンで結合している。これによりトップ受具４２が屋根の棟部に保持されていることからタラップ１が下方に落下しないようになっている。屋根の形状によってその勾配が異なる場合は角度調整リンク４５の角度を拡げたり、縮めたりすることによって対応する。尚、例えば右側の一方のソケット部４３は中間の連結材４８を介して結合している。
【００２３】
次にタラップ１の任意の位置、例えば、下方側部に足場板支持金具７が設けられ、この支持金具７を介してタラップ１の側部に水平方向に向けて足場板１０を着脱自在に結合させるようになっている。
【００２４】
足場板支持金具７は図５に示すように、水平な支持桿１６と、支持桿１６の中間に下方に向けて設けた支持片１７と、支持片１７に形成した複数の取付孔１８とからなっている。支持桿１６の一端は断面コ字状のブラケット４９を介して側桁１２の側面に枢着し、支持片１７は任意の取付孔１８を介して同様の側桁１２の側面に固定されている。
【００２５】
支持桿１６の他端には手摺１１を差し込むソケット５０が結合されている。
【００２６】
支持桿１６には、例えば図１０、図１５又は図２０に示す足場板１０の端部フック５１又は５２を引掛けて足場板１０を設置するものである。この場合、タラップ１の角度が変化しても、足場板１０は常に水平に配置する必要がある。そこで、タラップ１の角度が変化した時は支持片１７の取付け位置を取付孔１８のいずれかを選択して常に支持桿１６が水平になるように設定して対応させている。手摺５は通常タラップ１に沿って全域に設けられているが、足場板１０に対応する部分は作業者がタラップ１から足場板１０側に歩行できるように、支持金具７の近辺には手摺５を設けていない。この場合、手摺５における横パイプ支柱５ｂを図４、図６に示すようにスライド自在又は伸縮自在又は開閉自在に構成して、必要に応じて足場板１０に連なる入口を開閉するようにしている。
【００２７】
足場板１０は例えば図１０に示すように、本体１０ａと、本体１０ａの側面に起立するつま先板５３と、本体１０ａの端部に設けたフック５２とで構成し、フック５２を支持桿１６に引掛けるものである。
【００２８】
図１０、図１１は、本発明の他の実施の形態に係る屋根工事用作業足場Ｅを示す。この場合、足場板支持金具８を図示のように構成したものでその他の設置方法、構造は上記図１乃至図９の実施の形態と同じである。
【００２９】
この足場板支持金具８は菊座型の板クラッチ１９と、板クラッチ１９の端部に結合した水平な支持桿２０とで構成され、支持桿２０の両端には手摺５，１０を差し込むソケット５４，５５が設けられている。板クラッチ１９は側桁１２側に板材５６を介して結合した第１の円板５７と、支持桿２０側に結合した第２の円板５８と、両者を貫通する締結ボルト５９とで構成されている。
【００３０】
第１、第２の円板５７，５８は歯車状でその表面に弯曲した多数の凹凸を放射方向に形成し、二つの円板５７，５８を密接した時両者が結合し、タラップ１の角度が変化した時、一方の、例えば第２の円板５８を強制的に回転すると支持桿２０が回転し、常に支持桿２０を水平に保持するものである。
【００３１】
図１２乃至図１９は本発明の他の実施の形態を示す。
【００３２】
これは基本構造と設置方法は、上記の各実施の形態と同じであるが、タラップや支持金具等の構造を変形したものである。タラップ１は一対の側桁１２と、各側桁１２上に角度調整自在に結合した複数の足場板支持金具９と、各足場板支持金具９に着脱自在に結合したステップ１３とで構成されている。
【００３３】
タラップ１を構成する側桁１２の下端は図１７に示すように、枠組足場Ｃの縦材６０に角度調整自在なユニバーサルジョイントＧとヒンジＨを介して結合され、タラップ１の角度はヒンジＨを介して調整される。
【００３４】
図１７に示すように、側桁１２の下部には高さ調整自在なややコ字状の軒先ガード６１が垂設され、枠組足場Ｃと屋根との間に隙間Ｓがある場合、屋根面Ａから落下した工具等が落下した時この落下物を軒先ガード６１で収容できるようにしている。
【００３５】
この軒先ガード６１は図１２、図１６に示すように、タランプ６２を介して枠組足場Ｃの縦材６０に直接結合しても良い。
【００３６】
この場合、軒先ガード６１はややコ字状のフレーム６３と、フレーム６３上には展設したシートＲで構成し、このシートＲで落下した工具等を収容するようにしている。
【００３７】
足場板支持金具９は側桁１２上に起立する支持パイプ６４と、支持パイプ６４に嵌合した回転自在な断面逆Ｕ字状の支持枠６５とで構成し、支持パイプ６４には上下にピン孔を設け、支持枠６５には上方のピン孔と下方の複数の調整孔６６とを有している。
【００３８】
上方のピン孔に挿入したボルト６７は支持枠６５を支持パイプ６４に対して枢着し、下方のピン孔と調整孔６６に挿入したボルト６７は支持枠６５の角度を調整するものである。
【００３９】
即ち、タラップ１の角度を屋根面Ａの勾配に合せて変化させた時、下方のボルト６７を調整孔６６のいずれか一つに差し込むことにより支持枠６５を回転して常に垂直に起立させ、この垂直な支持枠６５を介してタラップ側のステップ１３と水平方向の足場板１０を水平に保持するようにしている。
【００４０】
この場合、支持枠６５上には両側に一対の引掛片２１，２２を設けた足場板受け部材６８を嵌合させ、これによりブラケット１４上に引掛片２１，２２を起立させている。
【００４１】
更に、図１３、図１５に示すように、受け部材６８上には断面コ字状の保持金具６９を嵌合させ、この保持金具６９の両側にはスプリング７０で附勢された一対のピン７１、７２を出没自在に設けている。
【００４２】
図１５に示すように、一方の引掛片２２にはタラップ側のステップ１３たる足場板本体１０ａのフック５１を引掛け、他方の引掛片２１には水平方向に延びる足場板１０を引掛けるものである。この場合、例えばステップ１３としての足場板本体１０ａを装着する場合にはピン７１又は７２に設けたハンドル７３をスプリング７０に抗して引張ってピン７１をＸ方向に引き寄せておく。この状態で足場板本体１０ａのフック５１を引掛片２２に引掛け、次いでハンドル７３の引張力を中止するとピン７１がスプリング７０で押し出されて足場板本体１０ａ側のピン孔７４に挿入されてステップ１３を固定する。足場板１０を固定する場合も同様である。尚、ステップ１３は一方のピン７２で先に保持し、このピン７２を利用して回転させながら上記の取付け又は取はずし作業を行なっても良い。
【００４３】
更に、図１２に示すように、タラップ１上には手摺６が起立し、この手摺６はブラケット１４に連設した取付具７４を利用して結合するものである。
【００４４】
更に、図１２に示すように、タラップ１の下方には高さ調整自在なジャッキ２５が設けられ、このジャッキ２５を介してタラップ１が屋根面Ａ上に配置される。
【００４５】
このジャッキ２５は図１８、図１９に示すように、上部の断面コ字状の側桁受け部材２８と、この受け部材２８の下部にヒンジ７５を介してヒンジ結合したねじ筒２９と、ねじ筒２９内に上下移動自在に螺合したねじ桿３０と、ねじ桿３０の下端に設けたクッション材等からなる支持台３０ａとを備え、更に受け部材２８とねじ筒２９との間にはピン結合したリンク７６が設けられ、通常このリンク７６を介してねじ筒２９は受け部材２８に結合して垂直に起立している。但し、タラップ１の下方の屋根面Ａの作業を行なう時、このジャッキ２５が邪魔になるときは、リンク７６をブラケット７７からはずし、図１８に示すようにねじ筒２９を点線で示す位置まで横方向に変化させるものである。
【００４６】
図２０は本発明の他の実施の形態を示し、上記の各実施の形態と同じく、 タラップ１と、タラップ１の片側又は両側に起立する手摺と、タラップの側部に設けた足場板支持金具と、タラップ１の側部に当該タラップ１と直交する方向に配置する足場板１０と、足場板１０の片側又は両側に起立する手摺とを備え、屋根面の勾配に合せて角度調整しながら当該屋根面上にタラップ１を縦方向に配設し、タラップ１の角度に合せて角度調整しながら足場板支持金具を水平に配置し、足場板支持金具に足場板１０の端部を結合しながら当該足場板１０を屋根面上に水平方向に向けて配設し、更にタラップ１と足場板１おにそれぞれ手摺を角度調整しながら垂直に起立させものである。
【００４７】
そして、上記タラップ１を一対の側桁１２と、上記側桁１２間に隔設した複数のステップ１３で平行四辺形に構成し、上記足場板支持金具を上記ステップ１３に結合した水平な支持桿２３と、当該支持桿２３の両端に設けた手摺挿入用のソケットとで構成している。
【００４８】
更に下方のステップ１３に扇形の取付片７８を設け、この取付片７８に複数のピン孔７９を形成し、上記任意のピン孔７９を介してピンを側桁１２に挿入し、選択されたピン孔７９に対応して側桁１２の角度を調整するものである。
【００４９】
その他の構造，作用，効果は上記各実施の形態と同じである。
【００５０】
【発明の効果】
各請求項の発明によれば、次の効果がある。
【００５１】
（１）各請求項の発明によれば、屋根面上に縦方向のタラップと水平方向の足場板が敷設され、タラップと足場板にはそれぞれ手摺が起立しているので作業者が常に垂直又は安全な姿勢で歩行し、作業が行なえるので歩行中又は作業中に転倒したり、屋根面から地上に落下するのが防止される。
【００５２】
（２）タラップは屋根勾配に合せて角度調整できるから屋根の勾配がどのようなものであっても対応でき、又、タラップには角度調整自在な足場板支持金具を介して足場板が接続されるのでタラップの角度が変化しても足場板は常に水平に配置できる。
【図面の簡単な説明】
【図１】本発明の一実施の形態に係る屋根工事用作業足場を屋根に設置した状態の略示斜視図である。
【図２】図１の一部拡大斜視図である。
【図３】一実施の形態に係るタラップの斜視図である。
【図４】図３のタラップを二つ接続した状態の斜視図である。
【図５】図３のタラップの一部分解斜視図である。
【図６】一実施の形態に係る手摺の一部切欠き斜視図である。
【図７】一実施の形態に係るステップの側面図である。
【図８】他の実施の形態に係るステップの側面図である。
【図９】図８のステップが変位した時の側面図である。
【図１０】他の実施の形態に係るタラップの斜視図である。
【図１１】図１０のタラップに取付けた足場板支持金具の分解しゃしずである。
【図１２】他の実施の形態に係る屋根工事用作業足場を屋根と枠組足場に設置した状態の側面図である。
【図１３】図１２の作業足場に設けた足場板支持金具を兼ねるブラケットの拡大側面図である。
【図１４】図１３のＸ−Ｘ線断面図である。
【図１５】図１３のブラケットにステップを取付ける状態の分解斜視図である。
【図１６】枠組足場に軒先ガードを結合した状態の拡大側面図である。
【図１７】図１３の作業足場に軒先ガードを垂設した状態の部分拡大側面図である。
【図１８】図１３の作業足場におけるタラップに設けたジャッキの側面図である。
【図１９】図１８のジャッキの正面図である。
【図２０】他の実施の形態に係るタラップの斜視図である。
【図２１】タラップのじょうたんを保持するトップ受具の側面図である。
【図２２】図２１のトップ受具の正面図である。
【図２３】従来の屋根工事用作業足場を組付けた家屋の斜視図である。
【符号の説明】
１，２，３，４ タラップ
５，６，１１ 手摺
７，８，９ 足場板支持金具
１０ 足場板
１２ 側桁
１３ ステップ
１３ａ 上面
１４ 滑り止め
１５ 枠体
１６，２０，２３ 支持桿
１７ 支持片
１８ 取付孔
１９ 板クラッチ
２１，２２ 引掛片
２４，２５ ジャッキ
２６ ナット
２７，３０ ねじ桿
２８ 受け部材
２９ ねじ筒
Ａ 屋根面
【図１】
0004417539.tif 000002
【図２】
0004417539.tif 000003
【図３】
0004417539.tif 000004
【図４】
0004417539.tif 000005
【図５】
0004417539.tif 000006
【図６】
0004417539.tif 000007
【図７】
0004417539.tif 000008
【図８】
0004417539.tif 000009
【図９】
0004417539.tif 000010
【図１０】
0004417539.tif 000011
【図１１】
0004417539.tif 000012
【図１２】
0004417539.tif 000013
【図１３】
0004417539.tif 000014
【図１４】
0004417539.tif 000015
【図１５】
0004417539.tif 000016
【図１６】
0004417539.tif 000017
【図１７】
0004417539.tif 000018
【図１８】
0004417539.tif 000019
【図１９】
0004417539.tif 000020
【図２０】
0004417539.tif 000021
【図２１】
0004417539.tif 000022
【図２２】
0004417539.tif 000023
【図２３】
0004417539.tif 000024